Podtech/llm-jp-corpus-v4-ja_patent huggingface dataset:
(57)【要約】      （修正有）【課題】色々な味を一本で楽しめる重ね式ペットボトルを提供する。【解決手段】各ペットボトル１に受けネジ３と差し込みネジ４を設け、差込みネジ４を他のペットボトルの受けネジ３にねじ入れて重ねる。【選択図】図２
0003155746.tif 000002
【実用新案登録請求の範囲】
【請求項１】
色々な飲料水のペットボトルをネジでつなぐ事が出来、各種の飲料水をみんなで分け合い楽しめる重ね式ペットボトル。
【考案の詳細な説明】
【技術分野】
【０００１】  本考案はペットボトルの上部と下部にネジを設け、ペットボトルをいくつも重ねることが出来る重ね式ペットボトルである。
【背景技術】
【０００２】  一本一本が同じ味であったり、途中で飲み飽きてしまうため飲むことの楽しみがなくなる。又、飲み終わった後はゴミとして廃棄するだけであった。
【先行技術文献】
【特許文献】
【０００３】
【特許文献１】
【非特許文献】
【０００４】
【非特許文献１】
【考案の概要】
【考案が解決しようとする課題】
【０００５】  従来のペットボトルは同じ味であり、楽しむことが出来ない。いくつも味を楽しもうと思えばたくさん持ち歩かなければならなかった。
【課題を解決するための手段】
【０００６】  本考案はペットボトルの底に受けネジを設け、ペットボトルの差込みネジをねじ入れ重ねられる様、考案されている重ね式ペットボトル。
【考案の効果】
【０００７】  重ね式ペットボトルは色々な味が一本で楽しめ、使用後も小物入れや薬入れ、味噌やしょうゆ等の調味料を入れて使用し楽しむ事ができる。
【図面の簡単な説明】
【０００８】
【図１】従来のペットボトル正面図である。
【図２】ボトル正面図
【図３】重ね式ペットボトル立体図
【考案を実施するための形態】
【０００９】  ペットボトル一つ一つに受けネジと差込みネジを設け連結できるようになっており、いくつも重ねつなぐ事が出来、又単品で使用することも出来る。
【実施例】
【００１０】  ペットボトル１に受けネジ３と差し込みネジ４を設け、差込みネジ４を受けネジ３にねじ入れる事で図３の重ね式ペットボトルとなる。
【符号の説明】
【００１１】１  ペットボトル
２  ネジブタ
３  受けネジ
４  差し込みネジ
【図１】
0003155746.tif 000003
【図２】
0003155746.tif 000004
【図３】
0003155746.tif 000005
【手続補正書】
【提出日】平成21年9月3日(2009.9.3)
【手続補正１】
【補正対象書類名】実用新案登録請求の範囲
【補正対象項目名】全文
【補正方法】変更
【補正の内容】
【実用新案登録請求の範囲】
【請求項１】
すべての重ね式ペットボトルの底に受けネジを設けてあるので、他のペットボトルを重ね式ペットボトルの底に設けたネジ受けにねじ入れれば、いくつものペットボトルを重ねることが出来る重ね式ペットボトル。
(57)【要約】      （修正有）【課題】ピンチが他のハンガーのフレームやピンチに絡まない洗濯ハンガーを提供する。【解決手段】弾衝効果のあるＵ字型吊り下げ紐をピンチの摘み部分に設けた吊り下げ紐受け軸承穴に吊り下げ紐の左右の先端を軸承させながら通してその先端に設けたピンチバネ受け軸承穴４にピンチのバネ２を軸承させる。従って、ピンチが他のハンガーや突起物に絡まず洗濯の作業効率を高める。さらに吊り下げ紐は弾衝効果のある素材により弾力に優れピンチの摘み部を外側に押し広げる効果があり洗濯物を挟む力は従来のピンチと同等の効力を発する。【選択図】図１
0003155744.tif 000002
【実用新案登録請求の範囲】
【請求項１】
洗濯ハンガーにおいて、ピンチの吊り下げ紐の形態をＵ字型にして左右、両先端にピンチのバネを軸承する軸承穴を設ける。さらにピンチの摘み部分の左右にピンチの紐を軸承する軸承穴を設けてその軸承穴に吊り下げ紐を通して外部からの干渉を受けないようにした事を特徴とした洗濯ハンガー。                                                                                                                                                                                        
【考案の詳細な説明】
【技術分野】
【０００１】
本考案は、洗濯ハンガーのピンチ吊り下げ紐の取り付け仕様を工夫して吊り下げ紐の左右の先端をピンチの摘み部分に設けた軸承穴を経由させてピンチバネ部の左右に連結させて構成し、吊り下げ紐の中央部分をハンガーのフレームに吊り下げる事でピンチが他のハンガーのフレームやピンチに絡まらない洗濯ハンガーに関するものである。
【背景技術】
【０００２】
従来、洗濯ハンガーのピンチのバネ中央部やピンチの摘み部片方に吊り下げ紐や鎖等でハンガーのフレームに連結させて吊り下げているが、洗濯物を干す際や取り込む際に洗濯ピンチ同士やフレームにピンチが絡み合う事が頻繁に繰り返されていた。又、ピンチの摘み部分の左右を一体形成で繋ぎ吊り下げ紐としての効果を持たせてその繋いだ中央部分をハンガーの柄に吊り下げて外部からの干渉を防ぐ仕組みの洗濯ハンガーは有りますが、これは重量のある洗濯物を挟むと吊り下げ紐が引っ張られてピンチが開き気味になり挟む力が弱くなる。その為に重い洗濯物は外れて落下し易く比較的軽い洗濯物しか干せない状況にあった。    
【考案の開示】
【考案が解決しようとする課題】
【０００３】
そのために、次の様な問題点があった。
（イ）ピンチを吊るす紐や鎖がピンチのバネの部分やピンチの摘み部分の片方に取りつけられているがピンチの摘み部分が紐や鎖に対してＡ角になり外部からの干渉を受けて他のハンガーのピンチやフレームに絡まっていた。
（ロ）外部からの干渉を防ぐ為に吊り下げ紐や鎖を短くして解決しようとすると洗濯物が干しづらかった。
（ハ）ピンチの摘み部分の左右先端と吊り下げ紐を一体形成で結び、紐の真ん中を吊るすとピンチの摘み部が外部からの干渉を受けなくなりますが洗濯物の重みで吊り下げ紐が引っ張られてピンチの摘み部分が内側に作用して挟む力が軽減した。        
本考案は、これらの問題を解消する為になされた物である。
【課題を解決するための手段】
【０００４】
従って、本考案は実務上どのような素材や形が必要か研究しながら弾衝効果のある素材を用いてＵ字型のピンチ吊り下げ紐を準備してその左右の先端部にピンチのバネを軸承できる軸承穴を設ける。さらに左右のピンチ摘み部分に吊り下げ紐を軸承する軸承穴を設け
る。次に前述の吊り下げ紐の左右先端をピンチの摘み部分の左右それぞれの軸承穴に内側
から外側に向けて通しながら紐の先端部に設けたバネ軸承穴でバネと連結させる。
以上の構造でピンチをハンガーのフレームに吊り下げると紐自体がピンチの摘み部分を覆い被せる形になり外部からの干渉を防ぎ又、他のハンガーのフレームやピンチ同士が絡み合うのを防ぐ事を考慮した洗濯ハンガーである。
【考案の効果】
【０００５】
上述のような、本考案の洗濯ハンガーは従来の吊り下げ紐の形態を変えてピンチの摘み部分が外部からの干渉を受けない様に左右の摘み部分に吊り下げ紐の軸承穴を設けて吊り下げ紐の左右先端部分を軸承させてからバネの左右に連結させる事でピンチの摘み部分が外部からの干渉を受けない。寄ってピンチが他のハンガーや突起物に絡まず洗濯の作業効率を高める。さらに吊り下げ紐は弾衝効果のある素材により弾力に優れピンチの摘み部を外側に押し広げる効果があり洗濯物を挟む力は従来のピンチと同等の効力を発する。
【考案を実施するための最良の形態】
【０００６】
以下、本考案の実施形態について説明する。
弾衝効果のあるＵ字型の弾衝帯紐の両先端部にピンチのバネを軸承する軸承穴を設けてピンチをハンガーのフレームに吊るす紐とする。次にピンチの摘み部分に吊り下げ紐を通す軸承穴を設けて、前述の吊り下げ紐をピンチの摘み部の内側から外側に向けて通して左右の先端をピンチのバネの両側に連結させる。
【実施例１】
【０００７】
以下、添付図面に従って実施例を説明する。
Ｕ字型ピンチ紐（４）の左右の先端部をそれぞれピンチの摘み部側面に設けたピンチ紐受け軸承穴（６）にピンチ摘み部の内側から外側にむけて通しながら紐の先端部分に設けたピンチバネ受け軸承穴（５）にピンチのバネ（２）を左右それぞれ軸承させて連結する。
以上の構成による吊り下げ紐付きピンチの中央部分を吊り下げ紐受けフック（６）でハン
ガーのフレーム（１）に設けたフック受け軸（７）に連結する
【産業上の利用可能性】
【０００８】
今現在、洗濯物を干す時や取り込む時に複数個の洗濯ハンガーを重ねて移動させるとピンチの摘み部分がハンガーの柄やピンチ同士が絡み合い作業に手間取る事が頻繁におきていた。人間の生活が衣食住で形成されている中で時間の短縮が必要であり少しでも苛々を無くし次の行動に移れる道具は不可欠である。
産業上の利用可能性は製品の製作面とその使用方法にある。
【図面の簡単な説明】
【０００９】
【図１】本考案の実施例１を示す正面斜視図である。
【図２】本考案の実施例１を示す正面図である。
【符号の説明】
【００１０】
１  ハンガーのフレーム
２  ピンチのバネ
３  Ｕ字型吊り下げ紐
４  ピンチバネ受け軸承穴
５  吊り下げ紐受け軸承穴
６  吊り下げ紐受けフック
７  フック受け軸
【図１】
0003155744.tif 000003
【図２】
0003155744.tif 000004
【手続補正書】
【提出日】平成21年9月5日(2009.9.5)
【手続補正１】
【補正対象書類名】実用新案登録請求の範囲
【補正対象項目名】全文
【補正方法】変更
【補正の内容】
【実用新案登録請求の範囲】
【請求項１】
洗濯ハンガーにおいて、ピンチの摘み部の左右に吊り下げ紐を軸承する軸承穴を設け、その吊り下げ紐の形態をＵ字型にしてその吊り下げ紐の左右の先端にピンチバネを軸承する軸承穴を設けてその左右先端をピンチ摘み部に設けた軸承穴にそれぞれ内側から外側に向けて通して先端の軸承穴にピンチバネを左右それぞれ連結させてピンチをハンガーに吊り下げた時にピンチ摘み部が外部からの干渉を受けずに突起物にも絡まない事を特徴とした洗濯ハンガー。
(57)【要約】      （修正有）【課題】道路の勾配を瞬時に認識できる標識を提供する。【解決手段】所定の勾配角度をセットした勾配標識と、距離標識に勾配標識を取り付ける取付金具からなる。【選択図】図２
0003155743.tif 000002
【実用新案登録請求の範囲】
【請求項１】
高速道路等で上り坂、下り坂による渋滞、追突等を解消する為に考案した勾配標識である。運転者が一見して勾配を感知し即加速減速の行動をとる事により、その標識効果をあげることが出来る標識である。
【請求項２】
既設の標識に取り付ける事により安価に施工出来る標識である。
【考案の詳細な説明】
【技術分野】
【０００１】高速道路等に設置される勾配の標識に関するものである。
【背景技術】
【０００２】高速道路等で車群が登り下り等の勾配を認識出来ず速度低下、速度増加等により自然渋滞や追突事故などをおこしている。
現在勾配表示の標識は経済的な理由によるものか非常に少ない。
【本考案が解決しようとする課題】
【０００３】運転者が道路の勾配を認識しながら適切な加速、減速を行う運転が出来れば渋滞、追突などの事故が無くなると考えます。
【課題を解決するための手段】
【０００４】従来の様に数少ない標識から勾配の数字を読み取りながら加速、減速を行うのではなく、運転中１見して何％の勾配か認識しながら運転出来る様な標識を数多く付ける事により課題を解決出来ると考えます
【課題解決のための本考案】
【０００５】運転者の一瞥により瞬時に勾配を認識出来る標識であり（従来のものは数値を読み取る）  運転中常に適切な速度を維持する事により、その目的を達するものである。既設のマイルポスト等に取り付ける事により経済的に数多く取り付ける事が出来る
【図面の簡単な説明】
【０００６】
【図１】本考案の勾配標識の取付方法を示す図面である。▲３▼を２Ｂの溝に入れ、２Ａの溝を▲１▼に差込▲２▼を取りつける。
【図２】本考案の勾配標識の見方を示す実施例である
【符号の説明】
【０００７】１                  既設標識（マイルポスト等）
２                  勾配標識取付具
３                  勾配標識
２Ａ                既設標識との取付溝
２Ｂ                勾配標識取付溝
Ａ                  勾配標識取付手順立面図
Ｂ                  勾配標識取付手順側面図
Ｃ                  登り勾配標識の１例
Ｄ                  下り勾配標識の１例
【図１】
0003155743.tif 000003
【図２】
0003155743.tif 000004
【手続補正書】
【提出日】平成21年9月3日(2009.9.3)
【手続補正１】
【補正対象書類名】実用新案登録請求の範囲
【補正対象項目名】全文
【補正方法】変更
【補正の内容】
【実用新案登録請求の範囲】
【請求項１】
高速道路上等で運転者に道路勾配を数字でなく視覚で認識させる為に以下の部材により成り立つ勾配標識である。
▲１▼  距離標識に勾配標識を取り付ける取付金具。
▲２▼  所定の勾配角度をセットした勾配標識。
(57)【要約】【課題】いかにも置物然としたインテリア類と異なり、本物の「林檎」と見まがうようにプラスチックを成形して着色を施し、「林檎」としてインテリアになり、さらに「林檎」の蓋をあけると中に小物を収納する機能を持たせることでより便利で可愛らしい置物としたい。【解決手段】「林檎」の果梗を含めた上部を切断して本体とは別の蓋部とする。蓋を開けると「林檎」全体の中が空洞になっており、内部に小物が収納できる構造とする。【選択図】図２
0003155747.tif 000002
【実用新案登録請求の範囲】
【請求項１】
果物の形状をした小物入れである。例として「林檎」について説明する。
「林檎」の果梗を含めた上部蓋部と下部本体部とに切断して、上部蓋部を開閉可能として蝶番にて固定する。
【請求項２】
「林檎」の上部蓋部の中央に指によって回転するように取り付けられた果梗によって「林檎」の上部内部にあるプレート状の鍵が開放または固定するために、「林檎」の下部の上面内側に設けられた１ヶ所の切り込みを有することを特徴とする小物入れ。
上記記載の蓋部には開放時に弾みをついて開くように圧縮性のあるゴム材を取り付けてある。
【考案の詳細な説明】
【技術分野】
【０００１】プラスチック素材を加工して、果物の「林檎」同様に成形し、「林檎」の果梗を敢えて残すこと。
【背景技術】
【０００２】小物入れに関しては、多種類で素材や形態においても様々なものが市場に溢れている現状であるが、その様な状況下においても、本物の「林檎」と見まがう様なインテリアでもあり且つ上部に施してある蓋を開閉させることで「林檎」の中に小物を収納できるという機能を有しているものはまったく見受けられない。
【考案が解決しようとする課題】
【０００３】大げさでいかにも置物然としたインテリア類と異なり、何気なく置かれた「林檎」の風情を漂わせるばかりでなく、小物を収納できるという便利さも併せ持たせる。
【課題を解決するための手段】
【０００４】果物の「林檎」同様のデザインと着色を施すこと。
【０００５】果梗を操作することにより、上部の蓋が開閉して「林檎」の内部に小物を収納することが可能であること。
【０００６】上部蓋部開閉のための果梗の操作はできる限り簡単なものとする。
【考案の効果】
【０００７】小物を収納するための蓋部の開閉操作が、果梗を捩るだけで簡単に行えるので誰にでも使用できる。
【０００８】特別な場所を必要とせず、どんなところでも、どんな部屋にでも置くことが可能であり、可愛らしいインテリアとしても機能する。
【考案を実施するための最良の形態】
【０００９】本物の「林檎」と見まがうような形状と色彩を施すこと。【００１０】果梗を含めた上部を「林檎」本体から切断して、上部を蓋部とする。【００１１】上記蓋部が開閉時に本体から脱落しないよう、蓋部と本体を蝶番にて連結させる。【００１２】通常は真後ろを向いている果梗を一定範囲内（４５度）で左に捩ることにより、鍵として機能しているプレートが本体上部に設けてある「切り込み」の位置に来て蓋部が開く。【００１３】蓋部が開く際に弾みがつくように、蓋部内部に圧縮したゴム材を使用して反発力を持たせること。【００１４】小物を収納したあとは、蓋部を閉じて果梗を元通りに真後ろの位置（１８０度）まで捩って戻すことにより、鍵をかけた状態となる。【００１５】「林檎」の果梗の下部に設けてあるプレート状の鍵が、果梗を左に４５度の位置まで捩ることにより本体上部に施してある「縁どり」の「切り込み」の位置に誤らずにセットされるように、果梗の下部とプレートはビス止めするか接着剤で固定して果梗と一体化してスライドすること。【００１６】「林檎」に限ることなく他の果物でも同様に小物入れができる。例えば「みかん」「トマト」「柿」「梨」など果梗のあるものに限定し且つインテリアとして安定感のあるものが望ましい。【００１７】「林檎」の後部又は蓋部の内側に印刷等を施すと企業の広告やノベルティとして活用可能であり、可愛らしいギフト品となる。
【図面の簡単な説明】
【００１８】
【図１】本考案の「林檎」の正面図
【図２】本考案の「林檎」の開蓋時の平面図
【図３】本考案の果梗に設けたプレート鍵の断面図
【符号の説明】
【００１９】  １・・・果梗
２・・・蓋部
３・・・本体
４・・・蝶番
５・・・切り込み
６・・・プレート鍵
７・・・縁どり
８・・・ビス
９・・・圧縮ゴム
【図１】
0003155747.tif 000003
【図２】
0003155747.tif 000004
【図３】
0003155747.tif 000005
【手続補正書】
【提出日】平成21年9月2日(2009.9.2)
【手続補正１】
【補正対象書類名】実用新案登録請求の範囲
【補正対象項目名】全文
【補正方法】変更
【補正の内容】
【実用新案登録請求の範囲】
【請求項１】
果物の林檎の形状をしたインテリア兼用林檎型小物入れであって、林檎の果梗を含めた上部蓋部と下部本体部を切断して、上部蓋部を開閉可能とし下部本体の中は空洞となっており、内部に小物が收納できる構造であり、上部蓋部と下部本体部とは蝶番にて固定されていることを特徴としたインテリア兼用林檎型小物入れである。
【請求項２】
林檎の上部蓋部の中央に指によって回転するように設けられている果梗により、上部蓋部の内側に施こされているプレート状の鍵が開放またわ固定することができる、林檎の下部本体の最上部内側の決められた場所に１ヶ所の切り込みを有し、上記記載の蓋部には弾みがついて開くように圧縮性のあるゴム材が取りつけられていることを特徴とする請求項１に記載のインテリア兼用林檎型小物入れ。
(57)【要約】      （修正有）【課題】場所を選ばず簡便にして、丈夫さを求め、使用前後には、用具や物の持ち運びにも使用できる釣竿を掛ける箱を提供する。【解決手段】硬質プラスチック製にして立ち上げる板は蝶番式にした。持ち運び出来る箱型にして、箱の後部に釣竿を抑える桟を取り付けた。箱の先端は釣竿を受ける様にした、また差し掛けた釣竿の角度調整の補助板を取り付けた。釣竿と鉛の重みで箱の後方の持ち上がるのを防ぐ為には、箱の中に水を汲み入れるか、重石を入れる。ちなみに、水で１０リットル、重石では１０キロ程の物を入れることによって、長さ３５０センチの釣竿に鉛８０の負荷の釣竿２本を差し掛けても、充分に対応できる。【選択図】図３
0003155742.tif 000002
【実用新案登録請求の範囲】
【請求項１】
縦３５センチ横２８センチ高さ２５センチの、用具入れの箱の後方上部に、釣竿を抑える桟を取り付け、桟の下側に横に溝を彫り、釣り竿を差した場合横にずれない様うにした、箱の先端にも同様の溝を掘った。
【請求項２】
箱に掛けた釣竿の傾斜角度が足りない場合い、蝶番で補助板を取り付け補助板が立ち上がるようにした。立ち上げた場合外に倒れないように、立ち上がる補助板の下部に角度を付け、内側に少々傾くようにした。
【考案の詳細な説明】
【考案の詳細な説明】
【考案が解決しようとする課題】
【０００１】  従来の、魚釣りの釣竿を掛ける用具は色々あるが、取り付け場所が無いと使用できない用具や、水平に釣竿を掛けられない物や、細いアルミパイプで組み立て式で頑丈さの無い物など。釣り座の移動などには手数が掛るなどの、問題を有うしている。
【課題を解決する為の手段】
【０００２】  上記課題を解決する為に、持ち運び出来る様の箱型にして、箱の後部に釣竿を抑える桟を取り付けた。箱の先端は釣竿を受ける様にした、また差し掛けた釣竿の角度調整の補助板を取り付けた。釣竿と鉛の重みで箱の後方の持ち上がるのを防ぐ為には、箱の中に水を汲み入れるか、重石を入れる。ちなみに本案の大きさの箱であれば、水で１０リットル、重石でわ１０キロ程の物を入れることによって、長さ３５０センチの釣竿に鉛８０の負荷の釣竿２本を差し掛けても、充分に対応できる、普通波止場防波堤などのサビキ釣りの鉛の負荷は１０〜２０位が最大であり、水で４リットル重石では４〜５キロの物を箱に、入れて置けばよい。
【考案の効果】
【０００３】  釣竿を掛ける箱を使用することで、取り付け式で竿掛けの取付場所をさがしたり、また取り付ける場所が無くても問題は無い。釣竿を差し込んだ場合適度な水平を保てる。程度な角度調整が必要な場合、補助板を立て上げる事により調整が出来る。程々の衝撃でも壊れることがなく、簡便にして頑丈さを有している。煩わしい組み立てなどをする必要がない。また箱の上部の横穴に棒を差し抜き、釣竿を立て掛ける事で、角度の取れる補助的な竿掛けが出来る。釣竿を掛ける箱の使用の前後は、用具を入れて物の持ち運びにも使用でききる。
【図面の簡単な説明】
【図１】釣竿を掛ける箱の図である
【図２】釣竿を差し掛けて、角度が足り無い時に補助板を立て上げた図である。
【図３】釣竿を掛ける箱に、補助板を立て釣竿を掛けた図である、長さ３５０センチの竿の先端が２３０センチ程開く。
【図１】
0003155742.tif 000003
【図２】
0003155742.tif 000004
【図３】
0003155742.tif 000005
【手続補正書】
【提出日】平成21年9月2日(2009.9.2)
【手続補正１】
【補正対象書類名】実用新案登録請求の範囲
【補正対象項目名】全文
【補正方法】変更
【補正の内容】
【実用新案登録請求の範囲】
【請求項１】
縦３５センチ  横２８センチ  高さ２５センチの、用具入れの箱の後方上部に、釣竿を差し込む桟を取りつける、釣竿の元が横にずれない様に桟の下裏に溝を掘り、用具入れ箱の後方上部に釣竿を差し込む桟を取り付けたことを特微とする釣竿を掛ける箱。
【請求項２】
釣竿を掛ける箱に差し掛けた、竿の傾斜角度が足りない場合、釣竿を掛ける箱の前面に蝶番で取りつけた板を立ち上げる、立ち上がる板の下部に角度を付けて内側に少々傾くようにした、傾斜補助装置を取りつけた事を特徴とする、請求項１に記載の釣竿を掛ける箱。
(57)【要約】【課題】へちまの内側の繊維部分を利用した浴用タオルの提供を目的とする。【解決手段】帯状のタオル部と当該タオル部の長手方向略中央部に取付けたへちま部とを備え、へちま部は環状へちま繊維を切り開き、へちまの内側に有する繊維状突部が外側に突出するように、当該へちまの外側をタオル部に縫着してあることを特徴とする。【選択図】  図１
0003155712.tif 000002
【実用新案登録請求の範囲】
【請求項１】
帯状のタオル部と当該タオル部の長手方向略中央部に取付けたへちま部とを備え、へちま部は環状へちま繊維を切り開き、へちまの内側に有する繊維状突部が外側に突出するように、当該へちまの外側をタオル部に縫着してあることを特徴とする浴用タオル。
【請求項２】
帯状のタオル部の両端部は中央側に折り返して、折り返し先端部を縫着してあることを特徴とする請求項１記載の浴用タオル。
【考案の詳細な説明】
【技術分野】
【０００１】
本考案は、主に浴室にて体や手足を洗うのに使用する浴用タオルに関する。
【背景技術】
【０００２】
へちまの実は中央に芯があり、その外側に空洞を有する環状の繊維組織を有することから、皮や果肉を取り除き乾燥させたものは、へちまたわしとして古くから使用されている。
しかし、へちまたわしは浴室にて垢すりとして手足を洗うのに便利であっても、手の届きにくい背中等を洗うには不便である。
そこで、特許文献１には柔軟性を有する帯状のタオル部の長さ方向中央部にＣ字形のへちまを配置し、手の届きにくい背中等も洗いやすいようにしたものを開示する。
【０００３】
ところが、同公報に開示するへちま部は、Ｃ字形に形成してあることから、従来のへちまたわしと同様に環状のへちま繊維の比較的凹凸の少ない外側を垢すり部として使用するものであるため、へちまの内側の繊維の良さが充分に活かされていない。
これに対して本考案者は、へちまの内側の繊維部は糸状になっていてセッケン水や水分を含むと柔らかさが増し、肌ざわり感が良く垢すりとして使用した場合にも従来のへちまたわしとは全く異なる気持ち良さが発現することが分かり本考案に至った。
【先行技術文献】
【特許文献】
【０００４】
【特許文献１】特開２００９−１１９２３４号公報
【考案の開示】
【考案が解決しようとする課題】
【０００５】
本考案は、へちまの内側の繊維部分を利用した浴用タオルの提供を目的とする。
【課題を解決するための手段】
【０００６】
本考案に係る浴用タオルは、帯状のタオル部と当該タオル部の長手方向略中央部に取付けたへちま部とを備え、へちま部は環状へちま繊維を切り開き、へちまの内側に有する繊維状突部が外側に突出するように、当該へちまの外側をタオル部に縫着してあることを特徴とする。
ここで帯状のタオル部は、柔軟性があれば布地に限定されるものでなく、垢すりとして販売されているメッシュ状のタオル生地でもよい。
環状のへちまを切り開き外側をタオル部に縫着すると板状に広がり、へちまの内側の繊維が突出する。
【０００７】
本考案にあっては、帯状のタオル部の両端部は中央側に折り返して、折り返し先端部を縫着してもよい。
このようにするとタオル部の両端部に輪ができ、この輪の部分に指を入れることができるので、背中を洗う際に両手でタオルを上下及び左右等どの方向にも動かしやすくなる。
【考案の効果】
【０００８】
本考案にあっては環状のへちま繊維を切り開き、内側の突状繊維部を外側に突出するようにタオル部に縫着したので、内側の繊維部はへちまの外側に比較して糸状に突出しているので心地よい刺激の肌ざわりがあり、セッケン水等とのなじみもよく浴用タオルとしての利用価値が向上する。
【図面の簡単な説明】
【０００９】
【図１】本考案に係る浴用タオルの構成例を示す。
【図２】へちま部の拡大図を示し、（ａ）は平面図、（ｂ）は側面図を示す。
【図３】折り重ね部の拡大図を示し、（ａ）は平面図、（ｂ）は側面図を示す。
【図４】へちまの切り開き例を示す。
【考案を実施するための最良の形態】
【００１０】
図１に本考案に係る浴用タオルの構成例を示し、図２、図３に部分拡大図を示す。
へちまの実から種子、果肉、皮等を取り除くと環状の繊維組織部が残る。
図４（ａ）に示すように、環状の外側から切り開き（１２ｅ）、点線で示した芯部１２ｄを取り除くか、芯部１２ｄを分断するように切断する。
このようにして切り開くと、図４（ｂ）に示すように、へちまの内側１２ａが板状に広がり、内側の繊維突部１２ｂが外側に突出する。
環状へちまの外側は繊維が網状に交又しているので、凹凸が少なく柔らかさにも欠ける。
これに対して内側の繊維には切り開くと糸状に延びたように突出するので、肌ざわり感が良い。
【００１１】
切り開いたへちま繊維の外側１２ｃを図２（ａ）に示すように、タオル部１１の長手方向略中央部に縫着する。
また、タオル部１１の両端部は図３に示すように中央側に折り返した折り重ね部１３を形成し、折り返し先端は縫着部１３ｃとなっていて、外側１３ｂと折り返し部１３ａと輪部１３ｄを形成する。
【符号の説明】
【００１２】
１１      タオル部
１２      へちま部
１３      折り重ね部
【図１】
0003155712.tif 000003
【図２】
0003155712.tif 000004
【図３】
0003155712.tif 000005
【図４】
0003155712.tif 000006
(57)【要約】      （修正有）【課題】構造が簡単で使い易く、軽量で持ち運びやすく、手や腕全体で押すので疲れず、楽に痛点を押圧できる痛点押圧具を提供する。【解決手段】把持部とこれから突起する突起部からなり、前記突起部の把持部からの高さを指の先端から第二関節くらいまでの大きさとした。本痛点押圧具の突起部は、把持部を握ったとき、指の間から僅かに突出くらいになる。このため長時間、身体を押圧しても疲れない。また、突起部の押圧面が小さくなるため痛点を的確に押圧することができ、痛みや、コリを早く改善できる。【選択図】図１
0003155770.tif 000002
【実用新案登録請求の範囲】
【請求項１】
把持部とこれから突起する突起部とからなり、前記突起部の把持部からの高さを指の先端から第２関節くらいまでの大きさとしたことを特徴とする痛点押圧具。
【考案の詳細な説明】
【技術分野】
【０００１】本考案は、身体の痛点（コリや痛み）を改善する痛点押圧具に関する。
【背景技術】
【０００２】従来より痛みや、コリを改善するマッサージは、主に手で行なっていた。しかし従来のマッサージは指の押圧面が大きいため的確にツボを押圧できない。痛みやコリを取り除くことができない。親指で指圧するには限度があり、拳骨を作り指の第二関節で指圧、手のひら、肘でツボを押しても的確に痛点を押圧できない。大きな力を加えて押圧するので疲れる。この問題を解決するのが本発明の課題である。
【考案の開示】
【考案が解決しようとする課題】
【０００３】従来のマッサージは、指の指圧面が大きいため的確にツボを押圧できない、痛みやコリを取り除くことができない。親指で指圧するには限度があり、拳骨を作り指の第二関節で指圧や、手のひら、肘でツボを押しても的確に押圧できない、上記の問題を解決するのが本発明の課題である。
【課題を解決するための手段】
【０００４】上記課題を解決するための本考案に係る痛点押圧具は、把持部とこれから突起する突起部からなり、把持部を手で握り持ち、身体の痛点を押圧する器具であり、前記突起部の高さを指の先端から第二関節程度くらいまでの大きさとしたものである。痛点押圧具は、突起部の先端を丸く形成して、違和感がないようにする。
【考案の効果】
【０００５】本考案の痛点押圧具の突起部は指の先端から第二関節くらいまでの大きさで、把持部を握ったとき、指の間から僅かに突出くらいになる。このため長時間、身体を押圧しても疲れない。このため長時間、身体を押圧しても疲れない。また、突起部の押圧面が小さくなるため痛点を的確に押圧することができ、痛みや、コリを早く改善できる。痛点押圧具は構造が簡単で使い易く疲れない。軽量で持ち運びやすく、手や腕全体で押すので疲れず、楽に痛点を押圧できる。痛点押圧具は必要に応じ、時と場所を選ばず押圧できる。携帯でき車中や出先どこでも使用できる。
【図面の簡単な説明】
【０００６】
【図１】は、実施例１の痛点押圧具の斜視図。
【図２】は、実施例２の痛点押圧具の斜視図。
【図３】は、実施例３の痛点押圧具の斜視図。
【考案を実施するための最良の形態】
【０００７】以下、本考案に係る痛点押圧具の実施例について図面を、参照しながら詳細に説明する。
【符号の説明】
【０００８】１、３、５  杷持部２、４、６  突起部図１は、実施例１の痛点押圧具である。図１において１は把持部、２は、突起部である。突起部２の把持部１からの高さは、指の先から第二関節くらいまでの高さである。突起部２は、円柱状で、先端部は球面状となっている。この痛点押圧具を使用するときは、把持部１を握って突起部２を例えば薬指と中指の間に挟んで、先端部を突出させる。突起部２の先端部は指の間からわずかに突出する。この状態で、身体の痛点を突起部２の先端で点的押圧する。痛点の押圧具の把持部１は、手を握ったとき握り易くなっているので、少し手の不自由な方でも楽に痛点を的確に押圧できる。痛点押圧具を２個対で、同時に押圧できるので血液循環に効果大である。又Ｔ字型なので持ち易く、いろいろな角度で押圧でき、力加減も自分でできるので、何時でも、何処でも適度に押圧できる。痛点押圧具を使用して押圧するとき弾力性をもって口を閉じて鼻で息を吐きながら１，２，３、放す！というタイミングで押圧すると効果大である図２は実施例２の痛点押圧具である。この押圧具は把持部３から突起部４の形状が実施例１のそれと異なる。先端部が、かまぼこ状になっている。なだらかな山形になっている。その他、実施例１と同じである。実施例２の痛点押圧具は、痛点を面的に押圧できる。実施例１と異なる。その他の作用効果は実施例１のそれと同じである。図３は、実施例３の痛点押圧具である。この押圧具は把持部５から突起部６の形状が実施例１と異なる。先端部が板状になっている長い面である。そのため線的に長めに押圧でき、いろいろな角度で押圧できる。その他の作用効果は実施例１のそれと同じである。
【図１】
0003155770.tif 000003
【図２】
0003155770.tif 000004
【図３】
0003155770.tif 000005
(57)【要約】      （修正有）【課題】釣針を魚の口から取り外す為の道具の身体に釣糸をレール代わりにしてその釣糸を辿ることが可能になる機能と、魚の口内に刺さった釣針を押すことでその釣針を取り外すことが可能になる機能と、人が持ちやすくなる機能を持たせた釣針を魚の口から除去する道具を提供する。【解決手段】筒状の本体１に筒穴と並行する方向に切り込みを入れ、前記の筒状の本体にグリップ２を装着して、該道具を構成する。【選択図】図１
0003155769.tif 000002
【実用新案登録請求の範囲】
【請求項１】
釣針を魚の口から除去する道具であって、筒状の本体に筒穴と並行する方向に切り込みが入れられていることと、前記の筒状の本体にグリップが装着されていることを特徴とする釣針を魚の口から除去する道具。
【考案の詳細な説明】
【技術分野】
【０００１】  本考案は、鉤類等、釣針を魚の口から取り外す為の道具に関する。
【背景技術】
【０００２】  従来、釣針を魚の口から取り外す為の道具は、様々な形状の物が考案され、現在は細長い鉤状の物が大量に生産され広く使用されている。しかしながら、それらは細い棒状体の先端を鉤状にしただけのものである。【０００３】  釣針を魚の口から取り外す為の道具の機能は、人が魚釣で釣り上げて捕獲した魚の口内に刺さっている釣針を人の指の代りになって掴み、人が釣った魚の口から釣針を取り外す作業をし易くすることにある。特に期待されているのが、魚の頭部の形状や鰓を損壊することなく、釣針を刺さった方向と逆の方向に動かしながらスムーズに抜き取ることができる機能であるが、これは、魚の口に刺さった釣針が外から目視できる場合にのみ有効に働く機能であり、釣針を魚の口から取り外す為の道具があらゆる魚への刺ささり方をした釣針を取り外し易くする機能を有する訳ではない。【０００４】  なお、本願考案に関連する公知技術として次の特許文献１を挙げることができる。【０００５】
【特許文献１】  特許公開２００１−１６１２４６
【考案の開示】
【考案が解決しようとする課題】
【０００６】  上記の如く、従来技術に係る釣針を魚の口から取り外す為の道具は、魚の口に刺さった釣針が外から目視できる場合にのみ有効に働く機能であり、釣針を魚の口から外す為の道具があらゆる魚への刺さり方をした釣針を取り外し易くする機能を有する訳ではないので、この釣針を魚の口から取り外す為の道具を、魚釣りで捕獲した魚の口に刺さった釣針を取り外す為に使用したとしても、連続的に釣針を魚の口から容易に取り外すという内容の作業を行うことは難しい。【０００７】  このため、魚を釣る釣り人が、釣った魚の口から釣針が取り外す作業に困難を覚えたり、また釣り人が釣った魚の口から釣針が取れずにやむなく魚に刺さった釣針を釣り糸から切除しそのまま食用として家屋に持ち込むことで、その釣った魚を食べる人が危うく釣針ごと魚を食べそうになるという事態がしばしば発生しているのが現状である。【０００８】  本考案は、このような点を考慮し成された物であり、その目的は、釣針を魚の口から取り外す為の道具の身体に釣糸をレール代わりにしてその釣糸を辿ることが可能になる機能と、魚の口内に刺さった釣針を押すことでその釣針を取り外すことが可能になる機能と、人が持ちやすくなる機能を持たせることで、人が釣った魚の口に刺さった釣針を刺さった方向とは逆の方向に動かしながらスムーズに取り外すことができるようにすることにある。
【課題を解決するための手段】
【０００９】  上記の目的を達成する本考案の釣針を魚の口から除去する道具は、釣針を魚の口から除去する道具であって筒状の本体に筒穴と並行する方向に切り込みが入れられていることと、前記の筒状の本体にグリップが装着されていることを特徴とする。
【考案の効果】
【００１０】  以上説明したように、本考案によれば、筒状の本体に筒穴と並行する方向に切り込を入れ、その筒状の本体にグリップを装備するようにしたので、釣針を魚の口から取り外す為の道具に釣糸をレール代わりにしてその釣糸を辿ることが可能になる機能と、魚の口内に刺さった釣針を押すことでその釣針を取り外すことが可能になる機能と、人が持ちやすくなる機能を持たせることが可能となる。この釣針を魚の口から除去する道具を例えば魚を釣ってその魚の口内奥深くに釣針が刺さって普通の鉤類でその釣針を取り外すことが困難な時にその釣針を取り外す道具として使用すれば、釣糸を筒穴に入れ込んでそのまま釣針が有る魚の口内奥まで押し込んで釣針を押すという作業によって、人が釣った魚の口に刺さった釣針を刺さった方向とは逆の方向に動かしながらスムーズに取り外すことが可能となり、魚の口内に刺さった釣針の取り外し作業の円滑性向上、食材の魚の釣針残留防止等に有効である。
【考案を実施するための最良の形態】
【００１１】  以下、本考案の実施の形態を図面に基づき詳細に説明する。【００１２】  図１から図４は、本考案の第１の実施の形態に係り、図１はその外観斜視図、図２はその横面図、図３はその横面から見る縦断面図、図４はその魚の口内に於ける釣針を外す作業中の横面から見る縦断面図である。【００１３】  図１で示すように、本釣針を魚の口から除去する道具は、筒状の本体１に筒穴と並行する方向の切り込みを入れ、その本体１片側にグリップを装着したものである。【００１４】  図１で示すように、本釣針を魚の口から除去する道具は、全体的に鍵状の形状を成している。【００１５】  図４で示すように、本体１の筒先の直径は、魚の口から口内に入れられる程の大きさをしている。【００１６】  本体１に入れられた切り込みの幅は、釣糸の横断面の直径よりも長い広さである。【００１７】  図４で示すように、本体１の筒穴の内径は、釣針４身体の横断面の太さよりも広くなっている。【００１８】  本体１の長さは、魚の口内の唇から喉までの距離よりも長くなっている。【００１９】  本体１及びグリップ２の素材は、何れも耐腐食性を有する金属である。
【産業上の利用可能性】
【００２０】  本考案は、釣具を製造、販売する産業分野で利用する事ができる。
【図面の簡単な説明】
【００２１】
【図１】  本考案の第１の実施の形態に係る釣針を魚の口から除去する道具の外観斜視図である。
【図２】  図１の釣針を魚の口から除去する道具の横面図である。
【図３】  図１の釣針を魚の口から除去する道具の横面から見る縦断面図である。
【図４】  図１の釣針を魚の口から除去する道具の魚の口内に於ける釣針を外す作業中の横面から見る縦断面図である。
【符号の説明】
【００２２】  １          本体
２          グリップ
３          魚口内の魚肉
４          釣針
５          釣糸
【図１】
0003155769.tif 000003
【図２】
0003155769.tif 000004
【図３】
0003155769.tif 000005
【図４】
0003155769.tif 000006
(57)【要約】      （修正有）【課題】飲料缶の保冷・保温用ケースの蓋の開閉を容易にし、蓋をしたまま飲むことができる飲料缶用ケースを提供する。【解決手段】ケース本体１と蓋２をつなげた一体形状とし、内部には断熱素材を用い、本体１と蓋２にかけて開口部６，７を設ける。【選択図】図１
0003155785.tif 000002
【実用新案登録請求の範囲】
【請求項１】
本体と蓋をつなげた一体形状とし、内部に断熱素材を使うとともに、飲み口の部分に開口部を設け、飲料缶を保冷・保温しながら蓋の開閉を必要とせずに飲むことができることを特徴とする飲料缶用ケース
【考案の詳細な説明】
【技術分野】
【０００１】  本考案はアルコール・ジュース類などの飲料缶を、保冷または保温したまま携帯し、なおかつ蓋の開閉操作を要さずに飲むことができるようにした、飲料缶用のケースである。
【背景技術】
【０００２】  飲料缶専用の保冷・保温ケースは、飲む際には飲み口部分の開閉操作を要するものであった。
【先行技術文献】
【実用新案文献】
【０００３】
【実用新案文献１】
実用新案公開平５−２２３７６    考案の名称：缶ホルダ
要約：缶内飲料の漏れ、缶内ガスの気抜けを防止し、保温・保冷をする。
【考案の概要】
【考案が解決しようとする課題】
【０００４】本体と蓋が別体だと、ケースに入れたまま栓を開けることができず、飲む時と飲まない時で蓋の開閉・脱着操作が必要となり、脱着の手間と蓋の置き場所などが必要となるため、缶をケースで保冷・保温しながら飲むことのできる商品の開発の障壁となっていた。そこで、本体と蓋を一体化させ、ケース内部での保冷・保温機能を維持しながら、缶をケースに入たまま缶の栓を開けることができ、さらに蓋をしたままの状態で簡単に飲むことができるようにすることで、前述の欠点を解決しようとするものである。
【課題を解決するための手段】
【０００５】  本考案は、本体と蓋をつなげて内部は断熱素材が入った構造とし、本体および蓋の一部に開口部を設け飲み口の部分を確保することによって、蓋の開閉と缶の栓を開ける行為を容易にし、いったん缶の栓を開けると蓋の開閉操作をしなくても開口部によって飲み口のスペースが確保できるようにして問題を解決している。
【考案の効果】
【０００６】  上述の様に、缶をケースに入れたまま蓋の開閉と缶の開栓ができ、蓋をしたまま飲むことができる。本体ケースおよび蓋の内側に部分的に断熱素材が入っているため、蓋の開閉をすることなく保冷・保温効果が一定時間持続する。
【図面の簡単な説明】
【０００７】
【図１】本考案の飲料缶用ケースの実施例を示す斜投影図である。
【図２】本考案の飲料缶用ケースの断面図である。
【考案を実施するための形態】
【０００８】  本体と蓋は１箇所以上でつながっており、蓋を開閉させることができるため、飲料缶の出し入れを容易に行うことができる。蓋を閉めたときには、本体および蓋の開口部により蓋を閉めたまま飲むことができ、なおかつ周囲を断熱素材に包まれるため保冷・保温効果がある。
【実施例】
【０００９】  以下、添付図面に従って一実施例を説明する。１はナイロンや布帛等適宜素材にて形成された缶ケース本体、２は同等素材で形成された蓋で、本体および蓋の全てまたは部分的に断熱素材または断熱機構３によって形成されている。蓋と本体は５の部分など１箇所以上でつながっており、それぞれ６，７のような開口部を設けることにより蓋を閉めても缶の飲み口を塞ぐことがない。【００１０】  蓋と本体の隙間の断熱効果をより高めたい場合は、４の様な突起部を付けベルクロなどで止めて本体との密着を図る様にすることもできる。
【産業上の利用可能性】
【００１１】  １．アウトドアやスポーツに缶飲料を携帯し、保冷・保温しながら飲む用途で商品化。
２．１に付随して、人前でアルコール飲料を飲む際に、缶自体を隠すことができる。
３．企業ブランドや飲料の銘柄などをデザイン化することで、企業の販売促進に活用できる。
４．缶飲料などの販売に景品として添付し、飲料メーカーの販売促進に活用。
【符号の説明】
【００１２】  １  ケース本体
２  蓋
３  断熱素材または断熱機構
４  蓋止め用突起部
５  接合部
６  本体開口部
７  蓋開口部
８  底部
【図１】
0003155785.tif 000003
【図２】
0003155785.tif 000004
(57)【要約】      （修正有）【課題】雨樋の一部に流出用配管を追設し、雨樋を流れる雨水を簡易に回収する装置を提供する。【解決手段】雨樋５に直接開けた穴に固定するツバ４の付いた管状の本体、雨樋内で雨水を受け止め回収する受け皿板２、回収した雨水を雨樋より外部へ流出させる流出口３部分で構成する。【選択図】図２
0003155789.tif 000002
【実用新案登録請求の範囲】
【請求項１】
雨樋に直接取り付け、雨樋内を通過する雨水の一部を雨樋外部に回収する器具。
【請求項２】
前記雨水回収器具は、雨樋に直接開けた穴に固定する本体及びその本体に取り付けられたツバ、  雨樋内で雨水を受け止め回収する受け皿板、回収した雨水を雨樋より外部へ流出させる流出口部分で構成される簡素な構造を特徴とする請求項１記載の器具。
【考案の詳細な説明】
【技術分野】
【０００１】本考案は、雨樋内を通過する雨水を一部回収、再利用するための器具に関するものである。
【背景技術】
【０００２】従来の雨樋を流れる雨水を回収する装置は複雑かつ大規模で製造コストも高いものであった。更に装置を取り付ける際も大掛かりな改造工事を要することがあった。
【考案の開示】
【考案が解決しようとする課題】
【０００３】以上の技術による、大規模、複雑、高製造コスト、大掛かりな取付け改造工事を解消し  本考案は簡素な構造、低製造コスト、簡易な取り付け方法による雨水回収を課題とする。
【課題を解決するための手段】
【０００４】以上の課題を解決するために、雨樋に直接開けた穴に固定する  ツバの付いた管状の本体、  雨樋内で雨水を受け止め回収する受け皿板、回収した雨水を雨樋より外部へ流出させる流出口部分で構成される簡素な構造を有することを特徴とする。
【考案の効果】
【０００５】本考案によれば、簡易な構造の本器具を雨樋に取り付けることにより降雨時に何らの操作をすることなしに雨樋内を通過する雨水を相当量回収し再利用することが可能となる。
【考案を実施するための最良の形態】
【０００６】この発明の一実施形態を、図１に示す。
雨樋本体に開けられた穴に固定される  ツバ４の付いた管状の本体１、雨樋内部に挿入され雨樋内の雨水を受け止め回収する受け皿板２、回収した雨水を雨樋より外部へ流出させる流出口部分３、から構成されている。
【実施例】
【０００７】この実施形態によれば、雨水のみならず、雪解け水等  雨樋を通過し排水溝に流されていた自然水の一部が回収可能となる。  また  マンションのベランダ等、水道設備の無い場所においても雨樋より  相当量の水の確保が可能となる。
【産業上の利用可能性】
【０００８】図２の実施形態では、流出口部分は短い管状としているが  図１のように、流出口の延長管６を取り付けてもよい。  また本器具を使用しない時は流出口にキャップ７を被せ雨水の回収を停止する構造にしてもよい。
【図面の簡単な説明】
【０００９】
【図１】この考案の一実施形態を示す斜視図である。
【図２】この考案の一実施形態を示す図である。
【符号の説明】
【００１０】１  雨樋へ固定させる管状の本体
２  雨水受け皿板
３  流出口
４  本体１に取り付けられたツバ
５  雨樋
６  流出口延長管
７  流出口キャップ
【図１】
0003155789.tif 000003
【図２】
0003155789.tif 000004
(57)【要約】【課題】  ショウジョウバエ類などの小型飛翔生物を捕獲するにあたり、多くの金銭や労力を投じることなく、複雑でない方法で目的を達する、小型飛翔生物捕獲器を提供する。【解決手段】  薄手の合成樹脂の受け皿（１）に、酢醤油またはオレンジジュースまたはビール類などを少量滴下し、厚紙など可燃性の構造体（２）の受け皿収納口（３）に、受け皿（１）を収納し、受け皿収納口（３）の周辺に粘着剤または粘着テープ（４）を配することで、ショウジョウバエ類などの小型飛翔生物を誘引し、捕獲する。【選択図】図１
0003155783.tif 000002
【実用新案登録請求の範囲】
【請求項１】
厚紙など可燃性の構造体（２）の受け皿収納口（３）に、薄手の合成樹脂の受け皿（１）を収納し、受け皿収納口（３）の周辺に、粘着剤または粘着テープ（４）を配し、受け皿（１）に滴下した食品の匂いによりショウジョウバエ類などの小型飛翔生物を誘引し、粘着剤または粘着テープ（４）によりショウジョウバエ類などの小型飛翔生物を捕獲することを特徴とする、小型飛翔生物誘引捕獲器。
【考案の詳細な説明】
【技術分野】
【０００１】  本考案は、食品と粘着剤を用いた、ショウジョウバエ等の小型飛翔生物捕獲器に関する。
【背景技術】
【０００２】  従来から、不快生物の駆除や忌避のために誘引薬剤や忌避薬剤や殺虫薬剤、または誘引灯や電気の力を使い、数多くの製品が販売されている。【０００３】  ショウジョウバエ等の小型飛翔生物の駆除・忌避についての発明や考案も多数なされている。【０００４】  例えば、小型飛翔生物を、匂いにより誘引する誘引毒性薬剤で誘引し、誘引毒性薬剤を摂食した小型飛翔生物などは毒により死ぬことになる装置が発明されている（特許文献１）。【０００５】  また、小型飛翔生物を、掃除機様の吸引装置で吸引し捕獲する装置が考案されている（特許文献２）。
【先行技術文献】
【特許文献】
【０００６】
【特許文献１】特許公表第２００２−５４１８６７号広報
【特許文献２】登録実用新案第３０２０３２６号広報
【考案の概要】
【考案が解決しようとする課題】
【０００７】  しかしながら、本考案により主な駆除対象とするショウジョウバエなどの小バエを、誘引薬剤によらずとも、強力に誘引する食品が多数有り、本考案になる小型飛翔生物捕獲器は、特許文献１記載の発明になる装置のように誘引毒性薬剤を使わない。【０００８】  また、特許文献２記載の考案になる装置は、小バエなどの駆除にやや多くの労力を要すものの優れた考案であるが、本発考案になる小型飛翔生物捕獲器は、駆除方法を違える。【０００９】  本考案になる小型飛翔生物捕獲器で小バエなどを駆除するにあたり、多くの金銭や労力を投じることなく、複雑でない方法で目的を達する。
【課題を解決するための手段】
【００１０】  本考案により主な駆除対象とするショウジョウバエなどの小バエは、酢醤油、オレンジジュース、ビール類により、強く誘引されるものが多く、本考案では、これらの食品を利用する。【００１１】  ポリプロピレンやビニールなどの薄手の合成樹脂の受け皿（１）に、酢醤油またはオレンジジュースまたはビール類などを少量滴下し、厚紙など可燃性の構造体（２）の受け皿収納口（３）に、（１）を収納する。【００１２】  受け皿収納口（３）の周辺に、粘着剤または粘着テープ（４）を配する。
【図面の簡単な説明】
【００１３】
【図１】  （ａ）、（ｂ）はそれぞれ、本考案になる小型飛翔生物捕獲器の、前面略図と上面略図である。
【図２】  （ｃ）、（ｄ）はそれぞれ、図１とは異なる形状の本考案になる小型飛翔生物捕獲器の、前面略図と側面略図である。
【考案を実施するための形態】
【００１４】  本考案を実施するにあたり、受け皿（１）と構造体（２）の大きさや形状は多様に形成でき、また粘着剤または粘着テープを配する部位は多様に選べるが、図に示した実施の形態の例について説明する。
【実施例】
【００１５】  ［図１］において、受け皿（１）に滴下した酢醤油・オレンジジュース・ビール類などの誘引食品に誘引されたショウジョウバエなどの小型飛翔生物は、受け皿収納口（３）の周辺に配された粘着剤または粘着テープに触れることで捕獲される。
【産業上の利用可能性】
【００１６】  誘引薬剤や毒性薬剤を使うことなく不快生物を駆除することで、無駄な財貨や労力を省き、産業の発展に僅少ながらも資することができる。
【符号の説明】
【００１７】１・・・・・・・誘引食品受け皿
２・・・・・・・構造体
３・・・・・・・誘引食品受け皿収納口
４・・・・・・・粘着剤または粘着テープ
【図１】
0003155783.tif 000003
【図２】
0003155783.tif 000004
(57)【要約】      （修正有）【課題】太陽系の各惑星の大きさと太陽からの各惑星の距離の数値を記述したスケールの帯を伸ばし広げることによって、その広大さを目測し実感することが出来る理科の副教材を提供する。【解決手段】大きさを５０億分の１に縮尺した太陽にみたてた球体１を基点にして５０億分の１に縮尺した太陽系の各惑星の大きさと太陽からの各惑星の距離の数値を記述したスケールの帯２を伸ばし広げる。【選択図】図１
0003155786.tif 000002
【実用新案登録請求の範囲】
【請求項１】
スケールの帯にｍｍ・ｃｍ・ｍの目盛りが印字されている表面に、太陽からの太陽系の各惑星間の距離と各惑星の大きさを５０億分の１に縮尺した距離と大きさの数値を記述した理科の副教材。
【考案の詳細な説明】
【考案の詳細な発明】
【考案が解決しょうとする課題】
【０００１】  太陽と太陽系の各惑星の大きさや太陽からの太陽系の各惑星間の距離は、天文学の資料からその数値を知ることが出来るが、その広大さを実感できないという問題を有していた。
【問題を解決するための手段】
【０００２】  上記の問題点を解決するために、大きさを５０億分の１に縮尺した太陽にみたてた球体を固定し、それを基点として、５０億分の１に縮尺した太陽系の各惑星の大きさと太陽からの各惑星の距離の数値を記述したスケールの帯を伸ばし広げるようにした。各惑星のデータは、太陽からの距離を５０億分の１に縮尺した距離とスケールの目盛りと同じ位置に記述した。
【考案の効果】
【０００３】  大きさを５０億分の１に縮尺した太陽にみたてた球体を基点にして、５０億分の１に縮尺した太陽系の各惑星の大きさと太陽からの各惑星の距離の数値を記述したスケールの帯を伸ばし広げることによって、その広大さを目測し実感することが出来る。
【図面の簡単な説明】
【図１】大きさを５０億分の１に縮尺した太陽にみたてた球体を基点にして、５０億分の１に縮尺した太陽系の各惑星の大きさと太陽からの各惑星の距離の数値を記述したスケールの帯を引き伸ばしている側面図である。
【図２】大きさを５０億分の１に縮尺した太陽にみたてた球体を基点にして、５０億分の１に縮尺した太陽系の各惑星の大きさと太陽からの各惑星の距離の数値を記述したスケールの帯を引き伸ばしている平面図である。
【符号の説明】      １  大きさを５０億分の１に縮尺した太陽にみたてた球体
２  ５０億分の１に縮尺した太陽系の各惑星の大きさと太陽からの各惑星の距離の数値を記述したスケール
【図１】
0003155786.tif 000003
【図２】
0003155786.tif 000004